(57)【要約】【課題】介護を必要とする人の体位の変化を監視する装置にロータリーエンコーダ、転落を監視する装置に加速度計を用いてモニタリングするシステムがある。しかし、身体に着けると大きく、寝返りを妨げる。また、転落の監視に、介護を必要とする人とベッドの一端を電線で結び、ベッドから落ちると電線が外れて外部に通報する装置があるが、介護を必要とする人にとって電線が煩わしく、電線を故意や無意識で外し誤報が起こった。【解決手段】体位、転落、転倒を検出するために、ＭＥＭＳ技術による複数のセンサを集積し小型にした装置で、複数のセンサで収集したデータを無線で送信しデータを処理し監視する。これにより、介護を必要とする人にとって、装置の装着での寝返りの妨げや電線の煩わしさをなくすることが出来る。【選択図】図１
2018049304.tif 000002
【特許請求の範囲】
【請求項１】
介護を必要とする人の体位、転落、転倒を検出するために、ＭＥＭＳ技術による複数のセンサを集積した身体に取り付け可能な装置で、複数のセンサで測定したデータを処理し、監視することを特徴とする装置。
【発明の詳細な説明】
【技術分野】
【０００１】
本発明は、介護での褥瘡の予防と転落や転倒の警報に関する。
【背景技術】
【０００２】
高齢者の増加とともに寝たきりの人や介護を必要とする人が増加している。専門的な知識を持つ介護者が老人ホームや介護施設で介護に携わっているが、転落事故や褥瘡が増えている。
【０００３】
介護者が昼夜を通して、特に夜間に完全な介護をすることは不可能に近い現状である。寝たきりの人の体位を変える作業が遅れ褥瘡になることがある。また、転落や転倒が起こった時、介護者の巡回時間によって、これを発見するまでに時間が経過し、対応処置の遅れにより人命にかかわる事もある。
【０００４】
そこで、体位の変化を監視するセンサとしてロータリーエンコーダを、転落の監視センサに加速度計を用いるなどし、複数の装置をつけモニタリングするシステムが提案されている（例えば特許文献１参照）。
【０００５】
また、転落の監視にクリップ（図５）を用い、介護を必要とする人の衣類２２をクリップ２３に付けた電気接点ａ２４と電気接点ｂ２５で挟み、クリップのバネ２６で押さえ、電気接点ａ２４からの電線ａ２７と電気接点ｂ２５からの電線ｂ２８でベッドの一端と結び、ベッドから落ちるとクリップが衣類から外れ電気接点ａ２４と電気接点ｂ２５が接して導通し通報する方法が取られている。この電線を付けられた人は、電線の煩わしさから無意識や故意に電線を外し、ベッドからの転落の誤報になることがある。
【先行技術文献】
【特許文献】
【０００６】
【特許文献１】特開２００４−２０１７５８号  公報
【発明の概要】
【発明が解決しようとする課題】
【０００７】
解決しようとする問題点は、体位の変化の監視とベッドからの転落や転倒の監視を同時に行うために、介護を受ける人に付ける各々のセンサが大きく、そして複数の装置をつける必要があった。そのため、寝たきりの人がこれらを装着すると自発的な体位の変化を妨げ寝たきりの改善に悪影響を及ぼした。
【課題を解決するための手段】
【０００８】
本発明は、身体に装着できるＭＥＭＳ(Ｍｉｃｒｏ Ｅｌｅｃｔｒｏ Ｍｅｃｈａｎｉｃａｌ Ｓｙｓｔｅｍｓ：機械要素部品、センサ、アクチュエータ、電子回路を一つのシリコン基板、ガラス基板、有機材料などの上に集積化したデバイス)技術を用いた複数のセンサと近距離無線通信手段、マイコンを一体化した小型の装置により、介護の必要な人の体位やベッドからの転落や転倒を監視できるようにした。
【発明の効果】
【０００９】
本発明の体位転落転倒監視装置は、ＭＥＭＳ技術により集積した小型な単一の装置で大きさの煩わしさを除き、かつ、無線通信手段により電線の煩わしさを除き、常時、体位の検出やベッドからの転落や転倒を検出できることを最も主要な特徴とする。また、介護者は、介護を受けている人の時系列での体位の変化を知ることができ、介護を受けている人が自らの寝返りで体位を変えた後に、再び同じ体位を取ったとしても、その時間経過を知ることができる。また、ベッドからの転落や転倒は、昼夜に関わらず、即時に介護者に通報できる。
【図面の簡単な説明】
【００１０】
【図１】図１は本発明のブロック図である。（実施例１）
【図２】図２は本発明を含む体位転落転倒監視システムのブロック図である。（実施例１）
【図３】図３は体位転落転倒監視システムの概略のフローチャートである。（実施例１）
【図４】図４は体位転落転倒監視システムで介護を受ける人と介護者の概略図である。（実施例１）
【図５】図５は転落監視のためのクリップを示した説明図である。（背景技術）
【発明を実施するための形態】
【００１１】
以下、本発明の実施の形態を図１〜図４に基づいて説明する。
【実施例１】
【００１２】
図１（ａ）は本発明の体位転落転倒監視装置２を介護を必要とする人の人体に取り付けた図であり、本発明の体位転落転倒監視装置のブロック図を図１（ｂ）に示す。ＭＥＭＳ技術を用いた、加速度センサ、地磁気センサ、ロータリーエンコーダ３で寝返りの検出や転落の検出を行い、温度湿度センサ４で体温や汗や尿漏れの検出と本発明の体位転落転倒監視装置の人体から外れたことを検出する。通信制御マイコン５には体位の測定時間間隔を決めるタイマ７や監視データの送信のための近距離無線通信手段６が含まれ、監視データは通信アンテナ８より出される。
【００１３】
図２は本発明の体位転落転倒監視装置２を含む体位転落転倒監視システムのブロック図で、体位転落転倒監視装置２のデータを体位転落転倒監視データ通信装置９の通信アンテナ１０を通して通信制御マイコン１１の近距離無線通信手段１２で受け、通信制御マイコン１１がネットワーク通信手段１３で体位転落転倒監視データ処理装置１５に無線または有線の通信ネットワーク１４で体位転落転倒監視装置２のデータを送る。体位転落転倒監視データ処理装置１５は体位転落転倒監視装置２のデータを受信するネットワーク通信手段１６と監視データや設定データを保存するデータ記録装置１７、受信データと記録データの参照や比較の処理をする監視データ処理装置１８、監視データ処理後の出力装置１９から成り立っている。
【００１４】
図３は体位転落転倒監視システムの概略のフローチャートで、人体に体位転落転倒監視装置２を付け（Ｓ１）、これと無線通信できる位置に体位転落転倒監視データ通信装置９を設置する。体位転落転倒監視データ通信装置９と無線や有線の通信ネットワーク１４で体位転落転倒監視データ処理装置１５と接続し、体位転落転倒監視データ処理装置１５に体位、転落、転倒、温度、湿度の変化を介護者へ通報する警報閾値を設定する（Ｓ２）。この警報閾値は体位転落転倒監視データ処理装置１５と体位転落転倒監視装置２にも送られる。この後、体位転落転倒監視装置２は人体の監視を始め（Ｓ３）体位転落転倒監視装置２のタイマ７を起動（Ｓ４）する。体位転落転倒監視装置２の転落転倒を監視する加速度センサは常時監視し、タイマ７で設定された時間間隔（Ｓ６）で、地磁気センサとロータリーエンコーダで体位、温度湿度センサで温度湿度を測定（Ｓ７）する。体位転落転倒監視装置２のデータは体位転落転倒監視データ通信装置９に送る（Ｓ８）。さらに体位転落転倒監視データ処理装置１５に送信される（Ｓ９）。体位転落転倒監視データ処理装置１５はデータを受信し、データ記録装置１７に保存し、警報閾値（Ｓ２）に従い介護者に通報する（Ｓ１０）。
【００１５】
図４は体位転落転倒監視システムを用いた介護を受ける人と介護者の概略図で、体位転落転倒監視データ処理装置１５は（Ｓ２）で設定された警報閾値によって体位転落転倒監視装置２のデータを処理し、同じ体位の持続時間や転落や転倒の有無、装置の人体から外れたことを介護者２１のデータ端末２０に送信する。これにより、介護者２１は人体１の状態を常に介護者のデータ端末２０で知ることができ、転落の早期発見や褥瘡の原因となる長時間の体位の変化が無い異常にも対処することができる。
【実施例２】
【００１６】
本発明は、体位転落転倒監視装置２と体位転落転倒監視データ通信装置９と体位転落転倒監視データ処理装置１５の単一の組合せで説明しているが、複数の体位転落転倒監視装置２と体位転落転倒監視データ通信装置９と体位転落転倒監視データ処理装置１５でも良い。また、体位転落転倒監視データ通信装置９と体位転落転倒監視データ処理装置１５を通信機能を持つパソコンやスマートフォンあるいは携帯端末で実現しても良い。
【産業上の利用可能性】
【００１７】
体位転落転倒監視データ処理装置を広域通信ネットワークや公衆回線と接続することで施設の外部で監視を行うことができる。
【符号の説明】
【００１８】
１    人体
２    体位転落転倒監視装置
３    ＭＥＭＳ技術を用いた、加速度センサ、地磁気センサ、ロータリーエンコーダ
４    温度湿度センサ
５    体位転落転倒監視装置の通信制御マイコン
６    体位転落転倒監視装置の近距離無線通信手段
７    タイマー
８    体位転落転倒監視装置の通信アンテナ
９    体位転落転倒監視データ通信装置
１０  体位転落転倒監視データ通信装置の通信アンテナ
１１  体位転落転倒監視データ通信装置の通信制御マイコン
１２  体位転落転倒監視データ通信装置の近距離無線通信手段
１３  体位転落転倒監視データ通信装置のネットワーク通信手段
１４  通信ネットワーク
１５  体位転落転倒監視データ処理装置
１６  体位転落転倒監視データ処理装置のネットワーク通信手段
１７  データ記録装置
１８  監視データ処理装置
１９  出力装置
２０  介護者のデータ端末
２１  介護者
２２  介護を必要とする人の衣類
２３  クリップ
２４  クリップに付けられた電気接点ａ
２５  クリップに付けられた電気接点ｂ
２６  クリップのバネ
２７  電気接点ａからの電線ａ
２８  電気接点ｂからの電線ｂ
【図１】
2018049304.tif 000003
【図２】
2018049304.tif 000004
【図３】
2018049304.tif 000005
【図４】
2018049304.tif 000006
【図５】
2018049304.tif 000007